(57)【要約】【課題】  手首返しが十分に行え、竹刀操作が容易に出来る剣道用籠手を提供すること。【課題を解決する手段】  拳をころも布団１０１と手の内革１０２とで覆って保護する籠手頭１００に、前腕部３００前部を外３０１から内３０２に巻き内側位置で突き合わせるようにして筒布団２０１で保護する籠手筒２００を繋いで形成した左右いずれか一方の剣道用籠手において、前記筒布団２０１は、展開形状において前記籠手頭２００との接続端縁２０３が、前記籠手頭２００と反対側に凹む手首返し端縁２０４を有していることを特徴とする剣道用籠手としている。【選択図】  図３
2007054444.tif 000002
【特許請求の範囲】
【請求項１】
拳をころも布団と手の内革とで覆って保護する籠手頭に、前腕部前部を外から内に巻き内側位置で突き合わせるようにして筒布団で保護する籠手筒を繋いで形成した左右いずれか一方の剣道用籠手において、
前記筒布団は、展開形状において前記籠手頭との接続端縁が、前記籠手頭と反対側に凹む手首返し端縁を有していることを特徴とする剣道用籠手。
【請求項２】
請求項１において、前記手首返し端縁は、ほぼ両端まで一湾曲線で形成されていることを特徴とする剣道用籠手。
【請求項３】
請求項１において、前記手首返し端縁は、前記前腕部前部の上又は下の少なくともいずれか一方に対応する位置にそれぞれ一湾曲線で形成されていることを特徴とする剣道用籠手。
【請求項４】
請求項１において、前記手首返し端縁は、前記前腕部前部の上及び下に対応する位置にそれぞれ一湾曲線で形成され、且つ両湾曲線が滑らかに繋がれていることを特徴とする剣道用籠手。
【発明の詳細な説明】
【技術分野】
【０００１】
この発明は、剣道をする際に、身体を竹刀による打突から保護するために使用される防具の一つで、特に拳と前腕前部とを保護する剣道用籠手に関するものである。
【背景技術】
【０００２】
従来、この種の剣道用籠手としては、拳を保護する籠手頭に前腕部前部を保護する籠手筒が繋げて作られており、これを着けて竹刀を握ることにより竹刀操作がし易くかつ怪我等を防ぐに適するように作られている。（特許文献１参照。）
【特許文献１】特開平１１−２０６９５０号公報
【発明の開示】
【発明が解決しようとする課題】
【０００３】
しかしながら、この種の籠手は、籠手頭に繋がる籠手筒の筒布団の展開形状において、籠手頭との接続端縁は直線形状にされているため、構え、応じ、払いのとき、両手首は外側にかつ上側に反り、打突時に上側と下側に反ることが多い、竹刀操作時に手首が接続端縁に直ぐに当たり手首の返しが十分に行えないという問題があった。なお、剣道においては、竹刀であるが刀を持つというイメージで刃筋を立てた打ちをするという性質上、手首を内側に曲げるという操作は、ほとんどなされない。表や裏から乗ったり押さえたりする場合でも手首、前腕の回転で行うことが多い。
【０００４】
そこで、この発明は、上記問題に鑑みて手首返しが十分に行え、竹刀操作が容易に出来る剣道用籠手を提供することを目的としている。
【課題を解決するための手段】
【０００５】
この目的を達成するため、請求項１の発明は、拳をころも布団と手の内革とで覆って保護する籠手頭に、前腕部前部を外から内に巻き、内側位置で突き合わせるようにして筒布団で保護する籠手筒を繋いで形成した左右いずれか一方の剣道用籠手において、筒布団は、展開形状において籠手頭との接続端縁が、籠手頭と反対側に凹む手首返し端縁を有していることを特徴とする剣道用籠手としている。
【０００６】
また、請求項２の発明は、請求項１において、手首返し端縁は、ほぼ両端まで一湾曲線で形成されていることを特徴とする剣道用籠手としている。
【０００７】
また、請求項３の発明は、請求項１において、手首返し端縁は、前腕部前部の上又は下の少なくともいずれか一方に対応する位置にそれぞれ一湾曲線で形成されていることを特徴とする剣道用籠手としている。
【０００８】
さらに、請求項４の発明は、請求項１において、手首返し端縁は、前腕部前部の上及び下に対応する位置にそれぞれ一湾曲線で形成され、且つ両湾曲線が滑らかに繋がれていることを特徴とする剣道用籠手としている。
【発明の効果】
【０００９】
請求項１の発明によれば、手首の内側を除く他の方向に手首を傾けても籠手頭と反対側に凹む手首返し端縁が形成されていて接続端縁が直接当たらないようになり、手首が動かし易くなり種々の竹刀操作が楽に行い易い。すなわち、打突や応じ、払いなどの操作を早く確実に行える。正しく竹刀を握ったときに、手首上下の動きがし易いので、いわゆる横握りをすると他の方向に比べ上下方向へ動かし難いので、竹刀を上から握る正しい握りを助長する。
【００１０】
請求項２の発明によれば、請求項１の効果に加え、接続端縁が簡易な湾曲で筒布団の製作が容易であり、且つ籠手頭との接続の縫製も容易である。
【００１１】
請求項３の発明によれば、上記請求項１の効果に加え、特に竹刀での打突において前腕部前部の手首の上下への動きは特に重要でこの動きを容易にしている。
【００１２】
請求項４の発明によれば、請求項３の効果に加え、手首の上下の動きと外側への動きとが容易に出来、また、これら方向の合成された方向の動きも容易である。
【発明を実施するための最良の形態】
【００１３】
以下、図面に基づいてこの発明を説明する。
【００１４】
剣道用籠手は、剣道の試合や練習をする際の身体を打突から守るための防具の一部であって、拳、前腕部３００前方を保護するためのもので、左右一対で構成される。左右一対で勝手違いの関係にあることから、左右いずれか一方、ここでは左用籠手について説明する。
【００１５】
剣道用籠手は、大きく籠手頭１００に籠手筒２００を縫製し接続して構成されている。籠手頭１００は、中に毛氈などが詰められたころも布団１０１と手の内革１０２とで親指の入る部分と他の４本の指の入る部分とに仕切って拳を覆って保護している。このころも布団１０１は、その表面が薄い皮で覆われており、甲が位置する部分に手首の動きをスムースにするけら１０３と呼ばれるくびれが１又は２本、ここでは１本設けられている。また、けら１０３に続いて後述するｙ軸方向の中央部が絞られた手首が位置するつつ１０４が設けられている。
【００１６】
このつつ１０４に連結される籠手筒２００は、図６に示すように、中に毛氈などが詰められ、刺し子にされた、展開形状がほぼ矩形の籠手布団２０１が前腕部３００前部を外３０１から上３０３又は下３０４を通って内３０２に巻き、内側位置で両端が突き合わされるように丸められ、籠手ひも２０２で筒状にされている。図中、ｙ軸は籠手筒２００のほぼ中心位置を貫通し、このｙ軸を通り直交するｘ軸、ｚ軸がある。図３から図５のｘｙ軸は、ｘ軸とｙ軸とで規定される軸線である。
【００１７】
この丸められている筒布団２０１は、表側に展開すると図３に示す第一実施例のように
なる。筒布団２０１の接続端縁２０３は、手首の内側に余裕を持って曲げられるだけの籠手頭１００からの距離を取った位置の展開直線BーBを基準に、手首の上３０３、下３０４、外３０１にさらなる余裕の距離を取った湾曲形状としている。
【００１８】
この筒布団２０１の展開形状において籠手頭１００との接続端縁２０３は、籠手頭１００と反対側に凹む手首返し端縁２０４を有している。第一実施例に示す手首返し端縁２０４は、図３、図６に示すように、外３０１が一番深い抉りのされた、ほぼ両端まで一湾曲線で形成されている。したがって、この筒布団２０１で作られた籠手を嵌めると、拳は籠手頭１００に、つつ１０４は手首に、籠手筒２００は前腕部前部に対応し、大きく抉られた手首の外に位置するところが大きく反り返らせることができ、また、外に比べ小さいが上下にも手首の返りがよいようにされている。これにより、竹刀の操作は極めて容易になされる。
【００１９】
また、図４に実線で示す第二実施例に示す手首返し端縁２０４は、前腕部３００前側の上３０３又は下３０４の少なくともいずれか一方に対応する位置に展開直線BーBから一番抉りが大きくなるそれぞれ一湾曲線が隣接して２湾曲線で形成され、この両湾曲線が滑らかに逆に凸状の曲線で接続されている。実線で示される手首返し端縁２０４を持つ籠手の場合は、抉りはそれぞれ、上３０３、下３０４、および外３０１に対応しており、それぞれの方向の手首の返しは良くなる。いずれか一方の例えば、上３０３側を主体に手首の返しをよくする場合の例として図４の１点鎖線と実線で結ばれた手首返し端縁２０４が示されている。
【００２０】
さらに、この変形例として図５に示される手首返し端縁２０４は、前腕部３００前部の上３０３に対応する位置に抉りが一番深くなるように湾曲線が形成され、且つ両端からそれぞれのB位置に向かって直線で結ばれたような形状とされており、手首の上３０３方向への動きをよくし、次に外３０１，さらに下３０４方向に動きが良いようにしている。
【００２１】
以上、本実施例について述べてきたが、これらに限定されることなく、本件発明の趣旨に鑑みて解釈される形状まで包含される。
【図面の簡単な説明】
【００２２】
【図１】左用剣道用籠手の正面図である。
【図２】左用剣道用籠手の右側面図である。
【図３】左用剣道用籠手の筒布団の第一実施例を示す展開図である。
【図４】左用剣道用籠手の筒布団の第二実施例を示す展開図である。
【図５】左用剣道用籠手の筒布団の第二実施例の変形例を示す展開図である。
【図６】図１のＡーＡ線断面図である。
【符号の説明】
【００２３】
１００                籠手頭
１０１                ころも布団
１０２                手の内革
１０３                けら
１０４                つつ
２００                籠手筒
２０１                筒布団
２０２                籠手紐
２０３                接続端縁
２０４                手首返し端縁
３００                前腕部
３０１                外
３０２                内
３０３                上
３０４                下
【図１】
2007054444.tif 000003
【図２】
2007054444.tif 000004
【図３】
2007054444.tif 000005
【図４】
2007054444.tif 000006
【図５】
2007054444.tif 000007
【図６】
2007054444.tif 000008